(57)【要約】【課題】機構装着空間への液体の浸入を抑え、かつネジ部材を後部に露出させることなくガード部材を容易に固定できるようにする。【解決手段】リール本体２の筐体部２ａは、側部が開口する機構装着空間２ｄと、前縁部に開口し機構装着空間２ｄと連通する第１連通部３０と、第１連通部３０と逆側に配置され機構装着空間２ｄと連通し後縁部に開口する第２連通部３１と、を有する。ガード部材２６は、筐体部２ａの後縁部から第２連通部３１に挿入可能なボス部２６ａを有する。筒状部材２５は、第１連通部３０と第２連通部３１との間で機構装着空間２ｄ内に配置される。第１シール部材２９は、筒状部材２５と第１連通部３０との隙間をシールし、第２シール部材２９は、筒状部材２５と第２連通部３１との隙間をシールする。ネジ部材２７は、筒状部材２５の内部に頭部２７ａが係止されボス部２６ａにねじ込まれる。【選択図】図５
2014003923.tif 000002
【特許請求の範囲】
【請求項１】
釣り竿に装着され、釣り糸を前方に繰り出し可能なスピニングリールのリール本体であって、
側部が開口する機構装着空間と、前縁部に開口し前記機構装着空間と連通する第１連通部と、前記第１連通部と逆側に配置され前記機構装着空間と連通し後縁部に開口する第２連通部と、を有する筐体部と、
前記機構装着空間を塞ぐために前記筐体部に着脱可能に装着される蓋部材と、
前記筐体部の前記後縁部から前記第２連通部に挿入可能なボス部を有し、前記筐体部及び蓋部材を覆うように後方から装着されるガード部材と、
前記第１連通部と前記第２連通部との間で前記機構装着空間内に少なくとも一部が配置される筒状部材と、
前記筒状部材と前記第１連通部との隙間をシールする第１シール部材と、
前記筒状部材と前記第２連通部との隙間をシールする第２シール部材と、
前記第１連通部を通過可能であり、前記筒状部材の内部に頭部が係止され前記ボス部にねじ込まれるネジ部材と、
を備えたスピニングリールのリール本体。
【請求項２】
前記第２連通部は、前記後縁部に開口し前記ボス部が挿入される第１孔部と、前記第１孔部から前記前縁部に向かって形成され前記ネジ部材のネジ軸部が通過可能であり、前記第１孔部よりも小径の第２孔部と、前記第２孔部が開口し前記第２孔部に直交する面を有する壁部と、を有し、
前記筒状部材は、前記機構装着空間内に配置され、前記第１連通部に対向して配置され前記ネジ部材の頭部を挿入可能な筒部と、前記壁部に対向して配置され前記ネジ軸部が通過可能な貫通孔を有し、前記頭部を係止可能な底部と、を有し、
前記第１シール部材は、前記第１連通部と前記筒部とに嵌合する、請求項１に記載のスピニングリールのリール本体。
【請求項３】
前記第１シール部材は、前記第１連通部に嵌合する一端部が前記筒部に嵌合する他端部よりも大径の載頭円錐形状の弾性体製の部材である、請求項２に記載のスピニングリールのリール本体。
【請求項４】
前記第２シール部材は、前記壁部と前記底部との間に配置され、
前記筒状部材は、前記底部から前記壁部に向けて円形に突出するシール装着部を有し、
前記第２シール部材は、前記シール装着部の外周面に装着される、請求項２又は３に記載のスピニングリールのリール本体。
【請求項５】
前記第２シール部材は、前記シール装着部に装着可能なＯリングである、請求項４に記載のスピニングリールのリール本体。
【請求項６】
前記スピニングリールは、スプールと、スプールに釣り糸を巻き取るためのロータと、前記ロータを駆動するための駆動ギアと、を備え、
前記筒状部材は、前記駆動ギアの軸方向において、前記駆動ギアと対向する位置に配置される、請求項１から５のいずれか１項に記載のスピニングリールのリール本体。
【請求項７】
前記筐体部は、前記釣り竿に装着可能な釣り竿装着部を有する、請求項１から６のいずれか１項に記載のスピニングリールのリール本体。
【請求項８】
請求項１から７のいずれか１項に記載のリール本体と、
前記リール本体に前後往復移動可能に装着されるスプールと、
前記スプールに前記釣り糸を巻き付けるために前記リール本体に回転自在に支持されるロータと、
前記ロータを駆動するための駆動ギアと、
を備えるスピニングリール。
【発明の詳細な説明】
【技術分野】
【０００１】
本発明は、釣り竿に装着可能であり、釣り糸を前方に繰り出すスピニングリール及びスピニングリールのリール本体に関する。
【背景技術】
【０００２】
スピニングリールのリール本体は、開口を有する筐体部と、開口を塞ぐように筐体部に固定され、筐体部との間で機構装着空間を形成可能な蓋部材と、筐体部及び蓋部材の後部を覆うガード部材と、を備えている。ガード部材は筐体部にネジ止めされる。ガード部材を筐体部にネジ止めするためにガード部材に前方に突出するボス部を設けたリール本体が従来知られている（例えば、特許文献１参照）。従来のリール本体は、ボス部に筐体部の前部に貫通孔を設け、貫通孔とボス部との間に中間部材を配置している。中間部材は、後部がネジ部材によってボス部に固定され、かつ前部が第２ネジ部材によって貫通孔に固定されている。貫通孔は第２ネジ部材による固定後にキャップにより塞がれる。これにより、ガード部材を固定するためのネジ部材がリール本体の後部に露出することなくガード部材を容易に固定できる。
【先行技術文献】
【特許文献】
【０００３】
【特許文献１】特許第４８０４３３０号明細書
【発明の概要】
【発明が解決しようとする課題】
【０００４】
従来の構成では、ガード部材を固定するためのネジ部材がリール本体の後部に露出しないが、ガード部材を固定するために２本のネジ部材が必要になり、ガード部材の固定作業が煩雑になる。また、貫通孔にキャップ部材を装着しているが、ボス部及び第２ネジ部材とリール本体との隙間から液体が機構装着空間に浸入するおそれがある。
【０００５】
本発明の課題は、機構装着空間への液体の浸入を抑え、かつネジ部材を後部に露出させることなくガード部材を容易に固定できるようにすることにある。
【課題を解決するための手段】
【０００６】
発明１に係るスピニングリールのリール本体は、釣り竿に装着可能であり、釣り糸を前方に繰り出し可能なスピニングリールのリール本体である。リール本体は、筐体部と、蓋部材と、ガード部材と、筒状部材と、第１シール部材と、第２シール部材と、を備える。筐体部は、側部が開口する機構装着空間と、前縁部に開口し機構装着空間と連通する第１連通部と、第１連通部と逆側に配置され機構装着空間と連通し後縁部に開口する第２連通部と、を有している。蓋部材は、機構装着空間を塞ぐために筐体部に着脱自在に装着される。ガード部材は、筐体部及び蓋部材を覆うように後方から装着される。ガード部材は、筐体部の後縁部から第２連通部に挿入可能なボス部を有している。筒状部材は、第１連通部と第２連通部との間で機構装着空間内に少なくとも一部が配置される。第１シール部材は、筒状部材と第１連通部との隙間をシールする。第２シール部材は、筒状部材と第２連通部との隙間をシールする。ネジ部材は、第１連通部を通過可能であり、筒状部材の内部に頭部が係止されボス部にねじ込まれる。
【０００７】
このリール本体では、頭部が筒状部材に係止された１本のネジ部材によりガード部材が筐体部に固定される。この筒状部材は、第１シール部材及び第２シール部材により第１連通部との隙間及び第２連通部との隙間がシールされる。このため、筒状部材の内部から機構装着空間内に液体が浸入しない。また、１本のネジ部材によってガード部材の筐体部への固定と筒状部材の筐体部への固定とを行える。これにより、機構装着空間への液体の浸入を抑え、かつネジ部材を後部に露出させることなくガード部材を容易に固定できるようになる。
【０００８】
発明２に係るスピニングリールのリール本体は、発明１に記載のリール本体において、第２連通部は、後縁部に開口しボス部が挿入される第１孔部と、第１孔部から前縁部に向かって形成されネジ部材のネジ軸部が通過可能であり、第１孔部よりも小径の第２孔部と、第２孔部が開口し第２孔部に直交する面を有する壁部と、を有している。筒状部材は、機構装着空間内に配置される。筒状部材は、筒部と、底部と、を有している。筒部は、第１連通部に対向して配置される。筒部は、ネジ部材の頭部を挿入可能である。底部は、壁部に対向して配置される。底部は、ネジ軸部が通過可能な貫通孔を有している。底部は、頭部を係止可能である。第１シール部材は、第１連通部と筒部とに嵌合する。
【０００９】
この場合には、筒状部材が機構装着空間に配置されるので、蓋部材を筐体部に固定する前に筒状部材を機構装着空間に配置できる。また、第１シール部材が第１連通部と筒部とに嵌合するので、第１シール部材によって筒状部材を支持できる。
【００１０】
発明３に係るスピニングリールのリール本体は、発明２に記載のリール本体において、第１シール部材は、第１連通部に嵌合する一端部が筒部に嵌合する他端部よりも大径の載頭円錐形状の弾性体製の部材である。この場合には、第１連通部を通って筒部に装着される第１シール部材が先細りに形成されるので、第１シール部材を筒部に装着しやすい。
【００１１】
発明４に係るスピニングリールのリール本体は、発明２又は３に記載のリール本体において、第２シール部材は、壁部と底部との間に配置される。筒状部材は、底部から壁部に向けて円形に突出するシール装着部を有している。第２シール部材は、シール装着部の外周面に装着される。この場合には、壁部と底部との間に配置される第２シール部材がシール装着部に装着されるので、第２シール部材を確実に装着できる。
【００１２】
発明５に係るスピニングリールのリール本体は、発明４に記載のリール本体において、第２シール部材は、シール装着部に装着可能なＯリングである。この場合には、市販のシール部材によって筒状部材と第２連通部との隙間をシールできる。
【００１３】
発明６に係るスピニングリールのリール本体は、発明１から５のいずれかに記載のリール本体において、スピニングリールは、スプールと、スプールに釣り糸を巻き取るためのロータと、ロータを駆動するための駆動ギアと、を備える。筒状部材は、駆動ギアの軸方向において、駆動ギアと対向する位置に配置される。この場合には、筒状部材と駆動ギアとを軸方向に並べて配置できるので、筒状部材が駆動ギアに干渉しない。このため、筒状部材を設けても駆動ギアの大径化を図ることができる。
【００１４】
発明７に係るスピニングリールのリール本体は、発明１から６のいずれかに記載のリール本体において、筐体部は、釣り竿に装着可能な釣り竿装着部を有している。この場合には、比較的剛性が高い筐体部に釣りを行っているときに釣り竿からの力が作用する釣り竿装着部が設けられるので、釣り竿装着部の強度を確保しやすい。
【００１５】
発明８に係るスピニングリールは、発明１から７のいずれかに記載のリール本体と、スプールと、ロータと、駆動ギアと、を備えている。スプールは、リール本体に前後往復移動可能に装着される。ロータは、スプールに釣り糸を巻き付けるためにリール本体に回転自在に支持される。
【００１６】
このスピニングリールでは、上記作用効果を奏するスピニングリールを得ることができる。
【発明の効果】
【００１７】
本発明によれば、筒状部材が第１シール部材及び第２シール部材により筐体部との間でシールされる。このため、筒状部材の内部から機構装着空間内に液体が浸入しない。また、１本のネジ部材によってガード部材の筐体部への固定と筒状部材の筐体部への固定とを行える。これにより、機構装着空間への液体の浸入を抑え、かつネジ部材を後部に露出させることなくガード部材を容易に固定できるようになる。
【図面の簡単な説明】
【００１８】
【図１】本発明の一実施形態によるスピニングリールの側面図。
【図２】その側面断面図
【図３】図１の切断線III−IIIによる断面図。
【図４】筐体部の拡大斜視図。
【図５】リール本体の後部の拡大側面断面図。
【図６】変形例の図５に相当する拡大側面断面図。
【図７】他の実施形態の図５に相当する拡大側面断面図
【発明を実施するための形態】
【００１９】
図１に示すように、本発明の一実施形態によるスピニングリール１００は、釣り糸を前方に繰り出し可能なリールある。スピニングリール１００は、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。なお、ハンドル１はリール本体２の左右いずれにも装着可能である。
【００２０】
＜リール本体の構成＞
本発明の一実施形態によるリール本体２は、図２及び図３に示すように、側部が開口する機構装着空間２ｄを有する筐体部２ａと、蓋部材２ｂ（図３）と、筒状部材２５と、ボス部２６ａを有するガード部材２６と、ネジ部材２７と、第１シール部材２８と、第２シール部材２９と、を備える。筐体部２ａは、前縁部に開口し機構装着空間２ｄに連通する第１連通部３０と、第１連通部３０と反対側に配置され、機構装着空間２ｄと連通し後縁部に開口する第２連通部３１と、を有している。
【００２１】
筐体部２ａは、たとえば、マグネシウム合金やアルミニウム合金等の軽合金製のものである。筐体部２ａには、上部に前後に延びるＴ字形の釣り竿装着部２ｅが一体形成されている。筐体部２ａの機構装着空間２ｄ内には、図２に示すように、ロータ駆動機構５と、オシレーティング機構６とが設けられている。筐体部２ａの前端には、図３、図４、及び図５に示すように、円形のフランジ部２ｆを構成する概ね半円形の第１フランジ２ｆ１と、フランジ部２ｆより小径で先端が開口する円筒部２ｇ（図４参照）とが形成されている。第１フランジ２ｆ１には、第１連通部３０が開口している。
【００２２】
第１連通部３０は、ネジ部材２７が通過可能な内径を有する丸孔によって構成される。第１連通部３０は、筐体部２ａの前縁部である第１フランジ部２ｆから第２連通部３１に向かって突出する第１突出部２ｈに形成されている。第１連通部３０は、ネジ部材２７によりガード部材２６を取り付けた後に第１シール部材２８により塞がれている。
【００２３】
第２連通部３１は、筐体部２ａの後縁部から第１連通部３０に向けて突出する第２突出部２ｉに形成されている。第２連通部３１は、筐体部２ａの後縁部に開口する第１孔部３１ａと、第１孔部３１ａから筐体部２ａの前縁部に向かって形成される第２孔部３１ｂと、第２孔部３１ｂが開口する壁部３１ｃと、を有している。第１孔部３１ａには、ガード部材２６のボス部２６ａを挿入可能である。第２孔部３１ｂは、第１孔部３１ａによりも小径である。第２孔部３１ｂには、ネジ部材２７の後述するネジ軸部２７ｂが通過可能である。壁部３１ｃは、第２孔部３１ｂが開口し、第２孔部３１ｂに直交する面で構成される。
【００２４】
図１及び図３に示すように、蓋部材２ｂは、機構装着空間２ｄを塞ぐために筐体部２ａに着脱可能に装着される。蓋部材２ｂは、たとえば、マグネシウム合金やアルミニウム合金等の軽合金製のものである。蓋部材２ｂは、たとえば、ロータ３で隠れる前側の２箇所で図示しない２本の固定ボルトにより筐体部２ａに固定されている。前側の２本の固定ボルトは、筐体部２ａの前部に形成された図４に示す２つのネジ穴１８にねじ込まれる。また、蓋部材２ｂは、ロータ３から離反する後側の１箇所で図示しない固定ボルトにより筐体部２ａに固定されている。後側の固定ボルトは、筐体部２ａの後部に形成されたネジ孔１９にねじ込まれる。したがって、前側の２本の固定ボルトはロータ３により隠れる。また、後側の固定ボルトは、ガード部材２６によりカバーされる。したがって、蓋部材２ｂを固定する固定ボルトはリール本体２の外部に露出しない。蓋部材２ｂの前端には、第１フランジ２ｆ１とともにフランジ部２ｆを構成する第２フランジ２ｆ２が形成されている。
【００２５】
図３、図４及び図５に示すように、筒状部材２５は、例えばポリアミド樹脂又はポリアセタール等の合成樹脂製の部材である。筒状部材２５は、筐体部２ａの機構装着空間２ｄに配置されている。筒状部材２５は、第１連通部３０と第２連通部３１との間に配置される。筒状部材２５は、第１連通部３０に対向して配置されネジ部材２７の頭部２７ａを挿入可能な筒部２５ａと、底部２５ｂと、シール装着部２５ｃと、を有している。筒部２５ａは、第１連通部３０と実質的に同径の孔を有している。底部２５ｂは、壁部３１ｃに対向して配置される。底部２５ｂは、ネジ部材２７のネジ軸部２７ｂが通過可能な貫通孔２５ｄを有している。底部２５ｂは、ネジ部材２７の頭部２７ａを係止可能である。シール装着部２５ｃは、底部２５ｂから壁部３１ｃに向かって筒状に突出している。シール装着部２５ｃの先端部は、壁部３１ｃに接触して配置される。貫通孔２５ｄは、第２連通部３１の第２孔部３１ｂと実質的に同径の孔である。
【００２６】
ガード部材２６は、図２、図４及び図５に示すように、筐体部２ａ及び蓋部材２ｂを覆うように後方から装着される部材である。ガード部材２６は、リール本体２の後部の外形形状を決定している。ガード部材２６は、姿合わせのための図示しないパッキンを介して釣り竿装着部２ｅを含む筐体部２ａ及び蓋部材２ｂに装着される。ガード部材２６のボス部２６ａは、中心にネジ部材２７がネジ止め固定されるように棒状に形成される。ボス部２６ａは、前方に突出して形成され、筐体部２ａの後縁部から第２連通部３１に挿入可能である。具体的には、ボス部２６ａは、前述したように第２連通部３１の第１孔部３１ａに挿入可能である。ボス部２６ａの中心には、ネジ部材２７がねじ込まれる雌ネジ部２６ｂが形成されている。雌ネジ部２６ｂは、ボス部２６ａの軸方向の途中の位置まで延びる。ボス部２６ａは、ガード部材２６が固定されたときに、第１孔部３１ａと第２孔部３１ｂとの段差と隙間を形成可能な長さを有する。
【００２７】
図４に示すように、ネジ部材２７は、頭部２７ａと、頭部２７ａより小径となるように形成され、外周部に雄ネジ部が形成されたネジ軸部２７ｂと、を有する部材である。この実施形態では、ネジ部材２７は、ボス部２６ａに形成された雌ネジ部２６ｂに螺合するボルト部材である。しかし、ネジ部材は、ボス部２６ａ内に雌ネジ部を形成可能なタッピングビスでもよい。ネジ部材２７は、スピニングリール１００の組み立て前に筒状部材２５に装着される。組立時には、第１連通部３０を経由してドライバー等の締付工具の先端を筒状部材２５に挿入し、締付工具によってネジ部材２７を回してガード部材２６のボス部２６ａにねじ込む。これにより、ガード部材２６及び筒状部材２５が筐体部２ａに固定される。
【００２８】
第１シール部材２８は、筒状部材２５と第１連通部３０との隙間をシールする。第１シール部材２８は、第１連通部３０及び筒状部材２５の筒部２５ａのそれぞれの内周面に嵌合する。第１シール部材２８は、合成ゴム等の弾性体製の部材である。図４に示すように、第１シール部材２８は、第１連通部３０に嵌合する第１端部２８ａの外径が、筒状部材２５の筒部２５ａに嵌合する第２端部２８ｂの外径よりも大きい載頭円錐形状の部材である。第１シール部材２８の第１端部２８ａの外径は、第１連通部３０の内径よりも大きく、第２端部２８ｂの外径は、筒状部材２５の筒部２５ａの内径よりも僅かに小さい。これにより、第１シール部材２８が先細りの形状になり、第１連通部３０を経由して筒状部材２５に第１シール部材２８を装着しやすくなる。このような構成の第１シール部材２８によって、筒状部材２５の内部から機構装着空間２ｄ内への液体の浸入を防止できるとともに、第１連通部３０から機構装着空間２ｄ内への液体の浸入を防止できる。
【００２９】
第２シール部材２９は、筒状部材２５と第２連通部３１との隙間をシールする。第２シール部材は、シール装着部２５ｃに装着されるＯリングである。Ｏリングの線径は、シール装着部２５ｃの突出長さよりも大きい。これにより、シール装着部２５ｃの先端面が壁部３１ｃに当接した状態で第２シール部材２９が壁部３１ｃと底部２５ｂとに挟まれて僅かに圧縮する。これにより、第２シール部材２９は、底部２５ｂと壁部３１ｃとの隙間をシールする。この結果、第２連通部３１に液体が浸入しても筒状部材２５から機構装着空間２ｄ内への液体の浸入を防止できる。
【００３０】
このリール本体２では、ガード部材２６を取り付けるためのネジ部材２７が第１シール部材２８によって覆われている。このため、ネジ部材２７が外部に露出しないすっきりとした外観を得ることができる。また、第１連通部３０と筒状部材２５との隙間が第１シール部材２８によってシールされ、第２連通部３１と筒状部材との隙間が第２シール部材２９によってシールされている。このため、機構装着空間２ｄへの液体の浸入を抑え、かつネジ部材２７を後部に露出させることなくガード部材２６を容易に固定できる。また蓋部材２ｂを筐体部２ａに固定するネジ部材もロータ３及びガード部材２６により隠れるため、それらの固定ボルトも外部に露出しない。
【００３１】
＜スピニングリールのその他の構成＞
ロータ駆動機構５は、図３に示すように、ハンドル１が固定された駆動軸１０と、駆動軸１０に一体又は別体で設けられるフェースギアの形態の駆動ギア１１と、駆動ギア１１に噛み合うピニオンギア１２と、を有している。駆動軸１０は、図３に示すように、第１軸受１６ａ及び第２軸受１６ｂによりリール本体２に回転自在に支持されている。第１軸受１６ａは、筐体部２ａに設けられた第１ボス部１７ａに装着される。第２軸受１６ｂは、蓋部材２ｂに設けられた第２ボス部１７ｂ装着される。駆動ギア１１の外周部は、駆動軸１０の軸方向において、筐体部２ａに配置された筒状部材２５と対向して配置される。言い換えれば、筒状部材２５は、駆動ギア１１と干渉しないように配置される。このため、筒状部材２５を設けても駆動ギア１１の大径化を阻害しない。このため、この実施形態の駆動ギア１１は、従来の駆動ギアよりも直径が大きく歯数が多い。
【００３２】
図２に示すように、ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ軸受１４ａ、１４ｂを介してリール本体２に回転自在に支持されている。
【００３３】
オシレーティング機構６は、図２及び図３に示すように、スプール４の中心部にドラグ機構６０を介して連結されたスプール軸１５を前後方向に移動させてスプール４を同方向に移動させるための機構である。オシレーティング機構６は、スプール軸１５の下方に平行に配置されたトラバースカム軸２１と、トラバースカム軸２１に沿って前後方向に移動するスライダ２２と、トラバースカム軸２１の先端に固定された中間ギア２３とを有している。スライダ２２にはスプール軸１５の後端が回転不能に固定されている。中間ギア２３はピニオンギア１２に噛み合っている。
【００３４】
ロータ３は、図２に示すように、リール本体２に対して前後方向の第１軸Ｘ回りに回転自在である。ロータ３は、ピニオンギア１２に一体回転可能に連結される。ロータ３は、ピニオンギア１２に連結される概ね筒状のロータ本体３ａと、ロータ本体３ａの両側方から延びる第１ロータアーム３ｂ及び第２ロータアーム３ｃと、を有している。また、ロータ３は、第１ロータアーム３ｂ及び第２ロータアーム３ｃに揺動可能に連結されるベールアーム４０と、を有している。ベールアーム４０は、釣り糸をスプール４に巻き取るために設けられる。
【００３５】
ロータ３は、ローラ型のワンウェイクラッチ５１を有する逆転防止機構５０により逆転禁止状態と逆転許可状態とに切り換え可能である。この切換操作は、リール本体２の下部に配置された切換レバー５２により行える。
【００３６】
スプール４は、図２に示すように、ロータ３の第１ロータアーム３ｂと第２ロータアーム３ｃとの間に配置されている。スプール４は、スプール軸１５の先端にドラグ機構６０を介して装着されている。スプール４は、外周に釣り糸が巻かれる糸巻き胴部４ａと、糸巻き胴部４ａの後方に糸巻き胴部４ａと一体形成された筒状のスカート部４ｂと、糸巻き胴部４ａの前端に設けられた大径のフランジ部４ｃとを有している。
ドラグ機構６０は、スプール４の回転を制動するものであり、スプール軸１５の先端に螺合するドラグ調整つまみ６１と、ドラグ調整つまみ６１により押圧されてスプール４を制動する制動部６２とを有している。
【００３７】
＜リール本体の組立手順＞
このような構成のスピニングリールでは、リール本体２内にロータ駆動機構５及びオシレーティング機構６を装着するとともに、円筒部２ｇ内に逆転防止機構５０を装着する。また、筒状部材２５にネジ部材２７及び第２シール部材２９を装着し、ネジ部材２７により筒状部材２５を筐体部２ａの機構装着空間２ｄ内に仮置きする。この状態で蓋部材２ｂを筐体部２ａにかぶせて、図示しない固定ボルトにより筐体部２ａに蓋部材２ｂを固定する。次に、筐体部２ａ及び蓋部材２ｂの後方からガード部材２６を装着する。このとき、ガード部材２６のボス部２６ａを第２連通部３１の第１孔部３１ａに挿入する。そして、第１連通部３０から、ドライバーなどの締付工具を利用してネジ部材２７をボス部２６ａにネジ込み、ガード部材２６及び筒状部材２５を筐体部２ａに固定する。これにより、リール本体２の組立作業が完了する。
【００３８】
ここでは、筒状部材２５と第１連通部３０との隙間及び筒状部材と第２連通部３１との隙間が、第１シール部材２８及び第２シール部材２９によってシールされる。また、筒状部材２５の内部に配置された１本のネジ部材２７を、後部から第２連通部３１に挿入されたボス部２６ａに螺合させてガード部材２６及び筒状部材２５を筐体部２ａに固定している。このため、機構装着空間２ｄへの液体の浸入を抑え、かつネジ部材２７を後部に露出させることなくガード部材２６を容易に筐体部２ａに固定できる。
【００３９】
＜変形例＞
前記実施形態では、筒状部材２５のシール装着部２５ｃの先端を第２連通部３１の壁部３１ｃに接触させていたが、本発明はこれに限定されない。図６に示すように、変形例では、第２連通部１３１をボス部１２６ａを挿入可能な第１孔部１３１ａだけで構成する。筒状部材１２５のシール装着部１２５ｃは、第２連通部１３１の第１孔部１３１ａに嵌合する。変形例では、シール装着部１２５ｃの外周面に第２シール部材１２９を装着するための環状溝１２５ｅを形成し、第２シール部材１２９によってシール装着部１２５ｃと第１孔部１３１ａの内周面との隙間をシールしている。また、筒状部材１２５の底部１２５ｂは、第２連通部１３１の壁部３１ｃに接触している。その他の構成は、前記実施形態と同様なため前記実施形態と同じ符号を付して説明を省略する。
【００４０】
このような構成の変形例では、筒状部材１２５を機構装着空間２ｄ内に仮置きするときに、筒状部材１２５が保持されやすくなる。
【００４１】
＜特徴＞
上記実施形態は、下記のように表現可能である。
【００４２】
（Ａ）リール本体２は、釣り竿に装着可能であり、釣り糸を前方に繰り出すスピニングリール１００のリール本体２である。リール本体２は、筐体部２ａと、蓋部材２ｂと、ガード部材２６と、ネジ部材２７と、筒状部材２５と、第１シール部材２８と、第２シール部材２９と、を備える。筐体部２ａは、側部が開口する機構装着空間２ｄと、前縁部に開口し機構装着空間２ｄと連通する第１連通部３０と、第１連通部３０と逆側に配置され機構装着空間２ｄと連通し後縁部に開口する第２連通部３１と、を有している。蓋部材２ｂは、機構装着空間２ｄを塞ぐために筐体部２ａに着脱自在に装着される。ガード部材２６は、筐体部２ａ及び蓋部材２ｂを覆うように後方から装着される。ガード部材２６は、筐体部２ａの後縁部から第２連通部３１に挿入可能なボス部２６ａを有している。筒状部材２５は、第１連通部３０と第２連通部３１との間で機構装着空間２ｄ内に少なくとも一部が配置される。第１シール部材２８は、筒状部材２５と第１連通部３０との隙間をシールする。第２シール部材２９は、筒状部材２５と第２連通部３１との隙間をシールする。ネジ部材２７は、第１連通部３０を通過可能であり、筒状部材２５の内部に頭部２７ａが係止されボス部２６ａにねじ込まれる。
【００４３】
このリール本体２では、頭部２７ａが筒状部材２５に係止された１本のネジ部材２７によりガード部材２６が筐体部２ａに固定される。この筒状部材２５は、第１シール部材２８及び第２シール部材２９により第１連通部３０との隙間及び第２連通部３１との隙間がシールされる。このため、筒状部材２５の内部から機構装着空間２ｄ内に液体が浸入しない。また、１本のネジ部材２７によってガード部材２６の筐体部２ａへの固定と筒状部材２５の筐体部２ａへの固定とを行える。これにより、機構装着空間２ｄへの液体の浸入を抑え、かつネジ部材２７を後部に露出させることなくガード部材２６を容易に固定できるようになる。
【００４４】
（Ｂ）リール本体２において、第２連通部３１は、後縁部に開口しボス部２６ａが挿入される第１孔部３１ａと、第１孔部３１ａから前縁部に向かって形成されネジ部材２７のネジ軸部２７ｂが通過可能であり、第１孔部３１ａよりも小径の第２孔部３１ｂと、第２孔部３１ｂが開口し第２孔部３１ｂに直交する面を有する壁部３１ｃと、を有している。筒状部材２５は、機構装着空間２ｄ内に配置される。筒状部材２５は、筒部２５ａと、底部２５ｂと、を有している。筒部２５ａは、第１連通部３０に対向して配置される。筒部２５ａは、ネジ部材２７の頭部を挿入可能である。底部２５ｂは、壁部３１ｃに対向して配置される。底部２５ｂは、ネジ軸部２７ｂが通過可能な貫通孔２５ｄを有している。底部２５ｂは、頭部２７ａを係止可能である。第１シール部材２８は、第１連通部３０と筒部２５ａとに嵌合する。
【００４５】
この場合には、筒状部材２５が機構装着空間２ｄに配置されるので、蓋部材２ｂを筐体部２ａに固定する前に筒状部材２５を機構装着空間２ｄに配置できる。また、第１シール部材２８が第１連通部３０と筒部２５ａとに嵌合するので、第１シール部材２８によって筒状部材２５を支持できる。
【００４６】
（Ｃ）リール本体２において、第１シール部材２８は、第１連通部３０に嵌合する第１端部２８ａが筒部２５ａに嵌合する第２端部２８ｂよりも大径の載頭円錐形状の弾性体製の部材である。この場合には、第１連通部３０を通って筒部２５ａに装着される第１シール部材２８が先細りに形成されるので、第１シール部材２８を筒部２５ａに装着しやすい。
【００４７】
（Ｄ）リール本体は、発明２又は３に記載のリール本体において、第２シール部材２９は、壁部３１ｃと底部２５ｂとの間に配置される。筒状部材２５は、底部２５ｂから壁部３１ｃに向けて円形に突出するシール装着部２５ｃを有している。第２シール部材２９は、シール装着部２５ｃの外周面に装着される。この場合には、壁部３１ｃと底部２５ｂとの間に配置される第２シール部材２９がシール装着部２５ｃに装着されるので、第２シール部材２９を確実に装着できる。
【００４８】
（Ｅ）リール本体２において、第２シール部材２９は、シール装着部２５ｃに装着可能なＯリングである。この場合には、市販のＯリングによって筒状部材２５と第２連通部３１との隙間をシールできる。
【００４９】
（Ｆ）スピニングリールは、スプール４と、スプール４に釣り糸を巻き取るためのロータ３と、ロータ３を駆動するための駆動ギア１１と、を備える。リール本体２において、筒状部材２５は、駆動ギア１１の軸方向において、駆動ギア１１と対向する位置に配置される。この場合には、筒状部材２５と駆動ギア１１とを軸方向に並べて配置できるので、筒状部材２５が駆動ギア１１に干渉しない。このため、筒状部材２５を設けても駆動ギア１１の大径化を図ることができる。
【００５０】
（Ｇ）リール本体２において、筐体部２ａは、釣り竿に装着可能な釣り竿装着部２ｅを有する。この場合には、比較的剛性が高い筐体部２ａに釣りを行っているときに釣り竿からの力が作用する釣り竿装着部２ｅが設けられるので、釣り竿装着部２ｅの強度を確保しやすい。
【００５１】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００５２】
（ａ）前記実施形態では、第２シール部材２９としてＯリングを開示したが、第２シール部材はＯリングに限定されない。例えば、壁部３１ｃと底部２５ｂとの間に配置されるリング状のシートパッキンでもよい。
【００５３】
（ｂ）前記実施形態では、筒状部材２５を機構装着空間２ｄにのみ配置したが、本発明はこれに限定されない。図７に示すリール本体２０２において、筒状部材２２５は、筐体部２０２ａの第１連通部２３０と第２連通部２３１とを貫通して配置される。したがって、筒状部材２２５は、機構装着空間２ｄを超えて配置される。第１連通部２３０は、大径の第３孔部２３０ａと小径の第４孔部２３０ｂと、を有している。第２連通部２３１は筒状部材２２５が貫通可能に形成される。
【００５４】
筒状部材２２５は、第３孔部２３０ａと第４孔部２３０ｂとの段差部分に係止される大径の鍔部２２５ｂと、鍔部２２５ｂよりも小径の筒部２２５ａと、を有している。筒状部材２２５は、ネジ部材２２７の頭部２２７ａを挿入可能な内径を有する第１部分２２５ｃと、ガード部材２２６のボス部２２６ａを挿入可能な内径を有する第２部分２２５ｄと、第１部分２２５ｃと第２部分２２５ｄとの間に配置される小径の第３部分２２５ｅと、を内周部に有している。第３部分２２５ｅは、ネジ部材２２７のネジ軸部２７ｂが通過可能な内径を有している。筒部２２５ａの後端部は、筐体部２０２ａよりも後方に突出している。
【００５５】
ガード部材２２６のボス部２２６ａの先端部は、第２部分２２５ｄと第３部分２２５ｅとの段差よりも後方に配置されている。
【００５６】
ネジ部材２２７は、頭部２２７ａが第１部分２２５ｃと第３部分２２５ｅとの段差に係止される。ネジ軸部２２７ｂは、第３部分２２５ｅを貫通してボス部２２６ａに螺合する。ネジ部材２２７は、例えばタッピングビスである。
【００５７】
筒状部材２２５と第１連通部２３０との隙間をシールする第１シール部材２２８は、筒部２２５ａの前部の外周面と第１連通部２３０との間に配置される。第１シール部材２２８は、筒部２２５ａの外周面に形成された第１環状溝２２５ｆに装着されている。
【００５８】
筒状部材２２５と第２連通部２３１との隙間をシールする第２シール部材２２９は、筒部２２５ａの後部の外周面と第２連通部２３１との間に配置される。第２シール部材２２９は、筒部２２５ａの後部の外周面に形成された第２環状溝２２５ｇに装着されている。第１シール部材２２８及び第２シール部材２２９は、Ｏリングである。筒状部材２２５の第１部分２２５ｃの前側開口部分は、例えば弾性体製のキャップ部材３９により塞がれる。
【００５９】
このように形成されたリール本体２０１では、第１シール部材２２８及び第２シール部材２２９を装着した筒状部材２２５を第１連通部２３０から挿入し、第２連通部２３１を貫通して予め筐体部２０２ａに鍔部２２５ｂが第３孔部２３０ａと第４孔部２３０ｂの段差に接触するまで押し込む。機構装着空間２ｄ内への機構の装着が完了すると、組み立てが完了すると、ガード部材２２６のボス部２２６ａを筒状部材２２５と第２部分２２５ｄに挿入する。そして、第１部分２２５ｃからネジ部材２２７を挿入し、ガード部材２２６が筐体部２０２ａ及び蓋部材（図示せず）に接触し、かつ鍔部２２５ｂが第１連通部２３０の第３孔部２３０ａと第４孔部２３０ｂとの段差に接触するまでねじ込む。これにより、ガード部材２２６及び筒状部材２２５が筐体部２０２ａに固定される。
【００６０】
このような構成のリール本体２０２では、筒状部材２２５の前後の外周部が第１シール部材２２８及び第２シール部材２２９によりシールされるので、筒状部材２２５と第１連通部２３０及び第２連通部２３１との隙間から機構装着空間２ｄへの液体の浸入を防止できる。また、筒状部材２２５が筐体部２０２の前縁部と後縁部とを貫通して設けられるので、筒状部材２２５の内部に液体が浸入しても、機構装着空間２ｄへの液体の浸入を防止できる。その他の構成は前記実施形態と同様なため説明を省略する。
【００６１】
（ｃ）前記実施形態では、筐体部２ａに釣り竿装着部２ｅが一体形成されていたが、蓋部材２ｂに釣り竿装着部２ｅが一体形成されてもよい。
【符号の説明】
【００６２】
２    リール本体
２ａ  筐体部
２ｂ  蓋部材
２ｄ  機構装着空間
２ｅ  釣り竿装着部
３    ロータ
４    スプール
５    ロータ駆動機構
１１    駆動ギア
２５    筒状部材
２５ａ  筒部
２５ｂ  底部
２５ｃ  シール装着部
２６    ガード部材
２６ａ  ボス部
２７    ネジ部材
２７ａ  頭部
２７ｂ  ネジ軸部
２８    第１シール部材
２８ａ  第１端部
２８ｂ  第２端部
２９    第２シール部材
３０    第１連通部
３１    第２連通部
３１ａ  第１孔部
３１ｂ  第２孔部
３１ｃ  壁部
１００    スピニングリール
１２５    筒状部材
１２５ｃ  シール装着部
１２５ｅ  環状溝
１２９    第２シール部材
１３１    第２連通部
１３１ａ  第１孔部
１３１ｃ  壁部
２０２ａ  筐体部
２２５    筒状部材
２２５ａ  筒部
２２５ｂ  鍔部
２２５ｃ  第１部分
２２５ｄ  第２部分
２２５ｅ  第３部分
２２５ｆ  第１環状溝
２２５ｇ  第２環状溝
２２６    ガード部材
２２６ａ  ボス部
２２７    ネジ部材
２２７ａ  頭部
２２７ｂ  ネジ軸部
２２８    第１シール部材
２２９    第２シール部材
２３０    第１連通部
２３０ａ  第３孔部
２３０ｂ  第４孔部
２３１    第２連通部
【図１】
2014003923.tif 000003
【図２】
2014003923.tif 000004
【図３】
2014003923.tif 000005
【図４】
2014003923.tif 000006
【図５】
2014003923.tif 000007
【図６】
2014003923.tif 000008
【図７】
2014003923.tif 000009